【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
入力された画像を複数のブロックに分割し、符号化対象のブロックと参照する画素とを用いて予測誤差を生成する予測手段と、
前記予測誤差に直交変換を施し、変換係数を生成する変換手段と、
前記変換係数又は前記予測誤差を、前記符号化対象のブロックに対応する量子化マトリクスを用いて量子化することにより、量子化係数を生成する量子化手段と、
前記量子化係数を符号化する第１符号化手段と、
前記符号化対象のブロックに対応する量子化マトリクスが、所定の量子化マトリクスである場合には、前記符号化対象のブロックに対応する量子化マトリクスが前記所定の量子化マトリクスであることを示す第１情報を符号化する第２符号化手段と
を有することを特徴とする画像符号化装置。
【請求項２】
前記第２符号化手段は、
前記符号化対象のブロックに対応する量子化マトリクスが、複数の前記所定の量子化マトリクスのうちのいずれかの量子化マトリクスと同一である場合に、複数の前記所定の量子化マトリクスのうち、前記符号化対象のブロックに対応する量子化マトリクスと同一の量子化マトリクスを示す第２情報を符号化し、
前記符号化対象のブロックに対応する量子化マトリクスが、複数の前記所定の量子化マトリクスと同一でない場合に、前記符号化対象のブロックに対応する量子化マトリクスに含まれる係数を符号化することを特徴とする請求項１に記載の画像符号化装置。
【請求項３】
更に、前記量子化手段によって用いることができる前記所定の量子化マトリクスを予め記憶する記憶手段を有し、
前記第２符号化手段は、前記符号化対象のブロックに対応する量子化マトリクスが、前記記憶手段に記憶された量子化マトリクスであって係数が全て同一である第１量子化マトリクス、前記記憶手段に記憶された量子化マトリクスであって異なる値の係数を含む第２量子化マトリクス、及び前記符号化対象のブロックの前に符号化されたブロックに対応する第３量子化マトリクスのうち、いずれかの量子化マトリクスと同一である場合に、前記第１情報を符号化することを特徴とする請求項１又は請求項２に記載の画像符号化装置。
【請求項４】
更に、前記予測誤差に対し直交変換を行うか否かを判定する変換制御手段と、
前記変換制御手段によって、前記予測誤差に対して直交変換を行わないと判定された場合に、前記予測誤差のビット深度の調整を行う調整手段と
を有することを特徴とする請求項１乃至請求項３のいずれか一項に記載の画像符号化装置。
【請求項５】
更に、前記予測誤差に対し直交変換を行うか否かの判定結果を示す第３情報を符号化する第３符号化手段を有することを特徴とする請求項４に記載の画像符号化装置。
【請求項６】
前記予測誤差に対して直交変換を行う場合に前記変換手段の出力である前記変換係数を量子化するのに用いられる量子化マトリクスと、前記予測手段に対して直交変換を行わない場合に前記調整手段の出力であるビット深度調整された予測誤差を量子化するのに用いられる量子化マトリクスとは、同一であることを特徴とする請求項４に記載の画像符号化装置。
【請求項７】
前記第２符号化手段は、前記符号化対象のブロックに対応する量子化マトリクスが前記所定の量子化マトリクスと同一である場合に、前記符号化対象のブロックに対応する量子化マトリクスに含まれる係数を符号化せずに、前記第１情報及び前記第２情報を符号化することを特徴とする請求項２に記載の画像符号化装置。
【請求項８】
入力された画像を複数のブロックに分割し、符号化対象のブロックと参照する画素とを用いて予測誤差を生成する予測手段と、
前記予測誤差に直交変換を施し、変換係数を生成する変換手段と、
前記変換係数又は前記予測誤差を、前記符号化対象のブロックに対応する量子化マトリクスであって複数の係数から成る量子化マトリクスを用いて量子化することにより、量子化係数を生成する量子化手段と、
前記量子化係数を符号化する第１符号化手段と、
前記量子化手段によって量子化するために用いられた、前記符号化対象のブロックに対応する量子化マトリクスの各係数が、全て同一の値であるか否かを示す情報を符号化する第２符号化手段と
を有することを特徴とする画像符号化装置。
【請求項９】
入力されたビットストリームであって、符号化された画像のデータを含むビットストリームのうち、復号対象の量子化係数の符号を復号することによって量子化係数を再生する第１復号手段と、
前記量子化係数を逆量子化する際に用いる量子化マトリクスであって復号対象の量子化マトリクスが、所定の量子化マトリクスである場合には、前記復号対象の量子化マトリクスが前記所定の量子化マトリクスであることを示す第１情報を復号する第２復号手段と、
前記第２復号手段によって復号された前記第１情報を用いて、前記第１復号手段によって再生された量子化係数を逆量子化することによって、変換係数を生成する逆量子化手段と、
前記変換係数を逆変換することにより得られた予測誤差から画像を復元する再構成手段と
を有することを特徴とする画像復号装置。
【請求項１０】
前記第２復号手段は、
前記復号対象の量子化マトリクスが、複数の前記所定の量子化マトリクスのうちいずれかの量子化マトリクスと同一である場合に、複数の前記所定の量子化マトリクスのうち、前記復号対象の量子化マトリクスと同一の量子化マトリクスを示す第２情報を復号し、
前記復号対象の量子化マトリクスが、複数の前記所定の量子化マトリクスと同一でない場合に、前記復号対象の量子化マトリクスに含まれる係数を復号し、
前記逆量子化手段は、前記第２復号手段によって復号された前記復号対象の量子化マトリクスに含まれる係数、又は前記第１情報及び前記第２情報を用いて、前記第１復号手段によって再生された量子化係数を逆量子化することによって、変換係数を生成することを特徴とする請求項９に記載の画像復号装置。
【請求項１１】
更に、前記逆量子化手段によって用いることができる前記所定の量子化マトリクスを予め記憶する記憶手段を有し、
前記第２復号手段は、前記復号対象の量子化マトリクスが、前記記憶手段に記憶された量子化マトリクスであって係数が全て同一である第１量子化マトリクス、前記記憶手段に記憶された量子化マトリクスであって異なる値の係数を含む第２量子化マトリクス、及び前記復号対象の量子化係数の符号の前に復号された量子化係数の符号を復号及び逆量子化するために用いられた第３量子化マトリクスのうち、いずれかの量子化マトリクスと同一である場合に、前記第１情報を復号することを特徴とする請求項９又は請求項１０に記載の画像復号装置。
【請求項１２】
更に、前記逆量子化手段の出力である逆量子化係数に対し逆直交変換を行うか否かを判定する逆変換制御手段と、
前記逆変換制御手段によって、前記予測誤差に対して逆直交変換を行わないと判定された場合に、前記逆量子化係数のビット深度の調整を行う調整手段を有することを特徴とする請求項９乃至請求項１１のいずれか一項に記載の画像復号装置。
【請求項１３】
更に、前記逆量子化係数に逆直交変換を行うか否かの判定結果を示す情報を復号する第３復号手段を有し、
前記逆変換制御手段は、前記第３復号手段によって復号された情報に基づいて判定を行うことを特徴とする請求項１２に記載の画像復号装置。
【請求項１４】
前記第２復号手段は、前記復号対象の量子化マトリクスが前記所定の量子化マトリクスと同一である場合に、前記復号対象の量子化マトリクスに含まれる係数を復号せずに、前記第１情報及び前記第２情報を復号することを特徴とする請求項１０に記載の画像復号装置。
【請求項１５】
入力されたビットストリームであって、符号化された画像のデータを含むビットストリームのうち、復号対象の量子化係数の符号を復号することによって量子化係数を再生する第１復号手段と、
前記量子化係数を逆量子化する際に用いる量子化マトリクスの各係数が全て同一の値であるか否かを示す情報を復号する第２復号手段と、
前記第２復号手段によって復号された情報に基づく量子化マトリクスを用いて、前記量子化係数を逆量子化することによって、変換係数を生成する逆量子化手段と、
前記変換係数を逆変換することにより生成された予測誤差、又は前記変換係数から画像を復元する再構成手段と、
を有することを特徴とする画像復号装置。
【請求項１６】
入力された画像を複数のブロックに分割し、符号化対象のブロックと参照する画素とを用いて予測誤差を生成する予測工程と、
前記予測誤差に直交変換を施し、変換係数を生成する変換工程と、
前記変換係数又は前記予測誤差を、前記符号化対象のブロックに対応する量子化マトリクスを用いて量子化することにより、量子化係数を生成する量子化工程と、
前記量子化係数を符号化する第１符号化工程と、
前記符号化対象のブロックに対応する量子化マトリクスが、所定の量子化マトリクスである場合には、前記符号化対象のブロックに対応する量子化マトリクスが前記所定の量子化マトリクスであることを示す第１情報を符号化する第２符号化工程と
を有することを特徴とする画像符号化方法。
【請求項１７】
入力されたビットストリームであって、符号化された画像のデータを含むビットストリームのうち、復号対象の量子化係数の符号を復号することによって量子化係数を再生する第１復号工程と、
前記量子化係数を逆量子化する際に用いる量子化マトリクスであって復号対象の量子化マトリクスが、所定の量子化マトリクスである場合には、前記復号対象の量子化マトリクスが前記所定の量子化マトリクスであることを示す第１情報を復号する第２復号工程と、
前記第２復号工程によって復号された前記第１情報を用いて、前記第１復号工程によって再生された量子化係数を逆量子化することによって、変換係数を生成する逆量子化工程と、
前記変換係数を逆変換することにより得られた予測誤差から画像を復元する再構成工程と
を有することを特徴とする画像復号方法。
【請求項１８】
コンピュータが読み出して実行することにより、前記コンピュータを、請求項１乃至請求項８のいずれか一項に記載の画像符号化装置として機能させることを特徴とするプログラム。
【請求項１９】
コンピュータが読み出して実行することにより、前記コンピュータを、請求項９乃至請求項１５のいずれか一項に記載の画像復号装置として機能させることを特徴とするプログラム。
【手続補正２】
【補正対象書類名】明細書
【補正対象項目名】０００９
【補正方法】変更
【補正の内容】
【０００９】
上述課題を解決するため、本発明の画像符号化装置は以下の構成を有する。即ち、入力された画像を複数のブロックに分割し、符号化対象のブロックと参照する画素とを用いて予測誤差を生成する予測手段と、前記予測誤差に直交変換を施し、変換係数を生成する変換手段と、前記変換係数又は前記予測誤差を、前記符号化対象のブロックに対応する量子化マトリクスを用いて量子化することにより、量子化係数を生成する量子化手段と、前記量子化係数を符号化する第１符号化手段と、前記符号化対象のブロックに対応する量子化マトリクスが、所定の量子化マトリクスである場合には、前記符号化対象のブロックに対応する量子化マトリクスが前記所定の量子化マトリクスであることを示す第１情報を符号化する第２符号化手段とを有する。
【手続補正３】
【補正対象書類名】明細書
【補正対象項目名】００１０
【補正方法】変更
【補正の内容】
【００１０】
さらに、本発明の画像復号装置は以下の構成を有する。即ち、入力されたビットストリームであって、符号化された画像のデータを含むビットストリームのうち、復号対象の量子化係数の符号を復号することによって量子化係数を再生する第１復号手段と、前記量子化係数を逆量子化する際に用いる量子化マトリクスであって復号対象の量子化マトリクスが、所定の量子化マトリクスである場合には、前記復号対象の量子化マトリクスが前記所定の量子化マトリクスであることを示す第１情報を復号する第２復号手段と、前記第２復号手段によって復号された前記第１情報を用いて、前記第１復号手段によって再生された量子化係数を逆量子化することによって、変換係数を生成する逆量子化手段と、前記変換係数を逆変換することにより得られた予測誤差から画像を復元する再構成手段とを有する。